(57)【特許請求の範囲】
【請求項１】
断熱箱体内に仕切体を設けることで冷凍室と冷蔵室とを区画形成した冷凍冷蔵庫であって、前記仕切体は２枚のパネルの間に断熱材を充填して形成され、その仕切体の端面がシール体を挟んで前記断熱箱体の壁面に取り付けられるものにおいて、
前記仕切体の端面では、冷凍室側のパネルの端縁のみが延出されて前記冷凍室側に向けて曲げられることにより、前記断熱箱体の壁面に対する取付座が形成されていることを特徴とする冷凍冷蔵庫の仕切体取付構造。
【請求項２】
前記取付座の曲げ部分が曲面状に形成されていることを特徴とする請求項１記載の冷凍冷蔵庫の仕切体取付構造。
【請求項３】
前記シール体と前記断熱箱体の壁面との間には、吸湿材が前記冷蔵室側に露出した状態で介装されていることを特徴とする請求項１または請求項２記載の冷凍冷蔵庫の仕切体取付構造。
【発明の詳細な説明】
【０００１】
【発明の属する技術分野】
本発明は、断熱箱体内に仕切体を設けることで冷凍室と冷蔵室を区画形成した冷凍冷蔵庫に関し、特に仕切体を断熱箱体の壁面に取り付ける部分の構造の改良に関する。
【０００２】
【従来の技術】
従来の冷凍冷蔵庫として、図１０に示すように、断熱箱体４１内に正面Ｌ字形をなす仕切体４２を取り付けることで、庫内の一隅に冷凍室４３を、残りの部分に冷蔵室４４をそれぞれ形成したものは公知である。上記の仕切体４２は、２枚のパネル４５、４６の間に断熱材４７を充填して一体化された構造となっており、この仕切体４２の上側の端面４２ａ、奥側の互いに直交した端面４２ｂ、４２ｃ及び右側の端面４２ｄの４つの端面が、それぞれ断熱箱体４１の内箱４８における天井面、奥面及び右側面に当てられて取り付けられている。
【０００３】
その詳細な取付構造は以下のようである。例えば、仕切体４２の上側の端面４２ａの部分を例に取ると、図１１に示すように、２枚のパネル４５、４６のうちの冷蔵室４４側のパネル４５の端縁が冷蔵室４４側に直角に折り曲げられることで、ねじ４９の挿通孔を設けた取付座５０が形成されるとともに、冷凍室４３側のパネル４６の端縁が、冷蔵室４４側のパネル４５よりも一段低い所で冷蔵室４４側に向けて直角曲げされ、両パネル４５、４６の間に断熱材４７が充填されている。
【０００４】
そして仕切体４２の端面４２ａの段差部分に、モルトプレン、スチロール等からなるシール体５１を介装し、取付座５０を断熱箱体１の内箱４８の天井面に当てて、シール体５１を挟みつつねじ４９を締め付けることで取付座５０を天井面に固定するようになっている。ここでシール体５１は、取付部分の公差を吸収して冷凍室４３と冷蔵室４４の間の空気洩れを防止するためのものである。なお仕切体４２の他の３つの端面４２ｂ〜４２ｄも、上記と同じ取付構造となっている。
【０００５】
【発明が解決しようとする課題】
すなわち仕切体４２の各取付端面４２ａ〜４２ｄにおいては、取付座５０が冷蔵室４４側に設けられているため、シール体５１が冷凍室４３側に露出して装着された状態となっている。ここで、例えば冷凍室４３の霜取りを行った場合のように、冷凍室４３内に温度変化があって内部の空気が膨張または収縮されると、呼吸作用と称してシール体５１があるにも拘らず空気の流通が生じ、特に冷蔵室４４から冷凍室４３に流入した空気中の水分が、シール体５１の冷凍室４３側に露出した面で氷結するおそれがある。またシール体５１が露出していることは冷凍室４３内の美観を損ねることにもなるので、上記の氷結を防止することと併せて、シール体５１の露出面にシリコン等のコーキング５２を施す措置が採られていた。
しかしながらコーキングには大変な手間が掛かり、また外観上も必ずしも見栄えの良いものとは言えなかった。
【０００６】
また上記とは別の問題として、仕切体４２の各端面４２ａ〜４２ｄの取付座５０をねじ止めする場合において、特に奥側の水平部分の端面４２ｃと、右側の端面４２ｄとでは、冷凍室４３の下側の冷蔵室４４の狭い部分に潜り込んでねじ止め作業をしなければならないので、作業がし辛いという欠点があった。
本発明は上記のような事情に基づいて完成されたものであって、主に取付作業を簡単に行うことができるようにした冷凍冷蔵庫における仕切体の取付構造を提供することを目的とするものである。
【０００７】
【課題を解決するための手段】
上記の目的を達成するための手段として、請求項１の発明は、断熱箱体内に仕切体を設けることで冷凍室と冷蔵室とを区画形成した冷凍冷蔵庫であって、前記仕切体は２枚のパネルの間に断熱材を充填して形成され、その仕切体の端面がシール体を挟んで前記断熱箱体の壁面に取り付けられるものにおいて、前記仕切体の端面では、冷凍室側のパネルの端縁のみが延出されて前記冷凍室側に向けて曲げられることにより、前記断熱箱体の壁面に対する取付座が形成されているところに特徴を有する。
【０００８】
請求項２の発明は、請求項１の発明において、前記取付座の曲げ部分が曲面状に形成されている構成としたところに特徴を有する。
請求項３の発明は、請求項１または請求項２の発明において、前記シール体と前記断熱箱体の壁面との間には、吸湿材が前記冷蔵室側に露出した状態で介装されている構成としたところに特徴を有する。
【０００９】
【作用】
請求項１の発明においては、冷凍室側のパネルに取付座を設けたことで、仕切体の端面と断熱箱体の壁面との間に介装されたシール体は、冷蔵室側に露出した状態にできる。また、取付座をねじ等の締結具で固定する作業を冷凍室側から行うことができる。
請求項２の発明においては、取付座の曲げ部分が曲面状にされていることで、その部分の清掃がしやすくなる。
【００１０】
請求項３の発明の作用は以下のようである。仕切体の端面が取り付けられる部分の断熱箱体の内壁において、特に冷蔵室側における仕切体との境の部分では、冷凍室側からの冷気の伝導を受けて冷却され、そこに結露が生ずるおそれがある。その点、請求項３の発明では、結露しやすい部分に吸湿材が設けられているから、吸湿材により水分が吸収されて結露することが防止される。
【００１１】
【発明の効果】
請求項１の発明によれば、シール体が冷蔵室側に露出されていることでシール体に結氷が生ずるおそれが無くなるから、コーキングを施すことが不要となり、また取付座の取り付けを冷凍室側から行うことができることで作業がしやすくなり、もって仕切体の取付作業を簡便に行うことができ、加えてコーキングが不要となることで、見場も良くすることができる効果がある。
【００１２】
請求項２の発明によれば、上記の効果に加え、冷凍室内のコーナ部分の清掃がしやすくなることで、室内をより清潔にし得る効果がある。
請求項３の発明によれば、上記の効果に加え、冷蔵室の内壁における仕切体との境の部分で結露が生ずることを確実に防止し得る効果がある。
【００１３】
【発明の実施の形態】
以下、本発明の実施形態を添付図面に基づいて説明する。
＜第１実施形態＞
図１ないし図４は、本発明の第１実施形態を示す。図１において、符号１は断熱箱体であって、外箱２と内箱３との間に断熱材が充填され、全体として前面を開口した直方体状に形成されている。この断熱箱体１内における正面から見た右上部には、詳しくは後記するように正面Ｌ字形をなす仕切体５（図２参照）が取り付けられ、それにより、庫内の右上の一隅に冷凍室６が、残りの部分に冷蔵室７がそれぞれ形成されている。なお、断熱箱体１の前面の開口部には、十字形に組まれた前面枠８が、その一部で仕切体５の前側の端面を覆うようにして取り付けられている。また、その開口部には図示しない断熱扉が開閉可能に取り付けられるようになっている。
【００１４】
続いて、仕切体５の構造を説明する。この仕切体５は、図２に示すように、それぞれＬ字形に曲げ加工された内外２枚の金属製のパネル１０、１１を備えており、両パネル１０、１１が一定の間隔を開けて配されて、その間に断熱材１２が充填されることで一体化された構造となっている。２枚のパネル１０、１１のうちの内側のパネル１０（以下、内パネルという）が冷凍室６に面して、外側のパネル１１（以下、外パネルという）が冷蔵室７に面して配される。また、内パネル１０の曲げ部分１３は丸みを付けて曲げられている。この仕切体５の上側の端面５ａ、、奥側の互いに直交した２つの端面５ｂ、５ｃ及び右側の端面５ｄの４つの端面が、それぞれ断熱箱体１の内箱３における天井面３ａ、奥面３ｂ及び右側面３ｃに当てられて取り付けられるようになっている。
【００１５】
次に、この仕切体５における断熱箱体１の内箱３への取付端面５ａ〜５ｄの構造を詳細に説明する。まず、内箱３の天井面３ａに取り付けられる上側の端面５ａでは、図３に示すように、内パネル１０の端縁が内側（冷凍室６側）に向けて直角方向に曲げ加工され、それにより取付座１４が形成されている。この取付座１４には、複数のねじ１５の挿通孔が長さ方向に間隔を開けて形成されているとともに、その取付座１４の屈曲部１７は、特に丸みを付けて曲げられている。一方の外パネル１１の端縁は、内パネル１０の端縁よりも一段低い所に位置しており、その端縁が内側に直角曲げされてシール体１９の当て面２０が形成されている。上記した断熱材１２は、当て面２０と面一の位置まで充填されている。したがって、上記した取付座１４と、当て面２０並びに断熱材１２の端面との間には段差ができており、当て面２０並びに断熱材１２の端面の上面には、シール体１９が全長にわたって介装されるようになっている。このシール体１９は、モルトプレン、スチロール等を素材として、上記の段差寸法よりも少し厚肉で帯状に形成されている。
【００１６】
また、断熱箱体１の内箱３の奥面３ｂに当てられる奥側の２つの端面５ｂ、５ｃの構造は、上記した上側の端面５ａと同様に形成されている。繰り返すと、内パネル１０の端縁が内側に向けて丸みを付けて直角方向に曲げ加工されることにより取付座１４が形成されているとともに、外パネル１１の端縁が内パネル１０の端縁よりも一定寸法引っ込んだ位置から、内側に向けて直角曲げされて当て面２０が形成され、その段差部分にシール体１９が介装されるようになっている。
【００１７】
残る右側の端面５ｄでは、図４に示すように、内パネル１０の端縁が内側に向けて円弧状に曲げ加工されるに留められており、取付座は形成されていない。なお、外パネル１１の端縁は、一定寸法引っ込んだ位置から内側に向けて直角曲げされることで当て面２０が形成され、段差部分に同様にシール体１９が介装されるようになっている。上記のように右側の端面５ｄには取付座が設けられておらず、その代わりに内箱３の右側面３ｃにねじ２５で止めれるアングル状のブラケット２４が備えられ、右側の端面５ｄはそのブラケット２４で受けられてブラケット２４と外パネル１１の間をねじ２５で止めることで固定されるようになっている。
【００１８】
なお、仕切体５における手前側の互いに直交した２端面５ｅ、５ｆでは、内外のパネル１０、１１の端縁が同一面上において互いに突き合わされる方向に直角曲げされており、それぞれの端面５ｅ、５ｆの前面に、上記した前面枠８が取り付けられるようになっている。
【００１９】
続いて、上記した構造になる仕切体５の取付方法を説明する。上側の端面５ａ及び奥側の２つの端面５ｂ、５ｃでは、図３に示すように、段差部分にそれぞれシール体１９を介装し、それらのシール体１９を挟みつつ各取付座１４を内箱３の天井面３ａ及び奥面３ｂに当て、取付座１４に形成された挿通孔にねじ１５を通して内箱３にねじ込むことで、各端面５ａ〜５ｃが固定される。
【００２０】
右側の端面５ｄを取り付ける場合は、図４に示すように、内箱３の右側面３ｃにアングル状のブラケット２４をねじ止めにより取り付けておく。そして、段差部分に介装したシール体１９を挟んで、内パネル１０の端縁の円弧形部２２を内箱３の右側面３ｃに当てた状態で、ブラケット２４の水平部２４ａ上に載せる。続いて、ブラケット２４の水平部２４ａの下面側からねじ２５を通して外パネル１１にねじ込むことで固定する。
【００２１】
上記のように右側の端面５ｄにおいてのみ内パネル１０に取付座を設けなかった理由は、以下のようである。すなわち、仮に取付座を設けてねじ止めしようする場合、一般的な右利きの作業者ではねじ止め用のドライバを操作する作業がやり辛い。その点、本実施形態のようにブラケット２４を用いて取り付ければ、ねじ止めする場合にドライバはブラケット２４の水平部２４ａの下面側から操作すれば良いので、ねじ止め作業が簡単となる。
なお、この右側の端面５ｄでは、シール体１９を押し潰す方向にはねじ止めしていないので、より完全なシール性を期するために、内パネル１０の端縁に沿って、シリコン等のコーキング２７を施すことが望ましい。
【００２２】
以上のように本実施形態によれば、仕切体５の各端面５ａ〜５ｄに設けられたシール体１９は、内パネル１０の取付座１４あるいは円弧形部２２で遮られて冷凍室６側には露出せず、冷蔵室７側にのみ露出された状態となるから、シール体１９に結氷が生ずるおそれが無く、その防止のためにコーキングを施すことが不要となる。ただ、取付座を設けていない右側の端面５ｄではコーキング２７が必要となるが、その１箇所だけで済むことから、コーキング作業の負担は大幅に軽減される。また、取付座１４のねじ止めは冷凍室６側から行うことができるために作業がしやすくなり、もって仕切体５の取付作業を簡便に行うことが可能となる。また、上記のようにコーキングが１箇所で済むことによって、見場が悪くなることも極力回避することができる。
また、冷凍室６における仕切体５との境の部分、並びに仕切体５の内パネル１０の曲げ部分１３、すなわち冷凍室６のコーナ部が丸みを付けて形成されているから、その部分の清掃がしやすくなり、冷凍室６内を清潔に保つことができる。
【００２３】
＜第２実施形態＞
図５および図６は本発明の第２実施形態を示す。この実施形態では、仕切体５の取付端面、特に取付座１４を設けた端面５ａ〜５ｃにおいて介装されるシール体の構造に改良が加えられている。本実施形態のシール体３０は、軟質ゴムを素材としており、図５に示すように、内パネル１０と外パネル１１の端縁の間の段差寸法よりも大きい厚みの中空状に形成され、さらに一体成形された隔壁３１によって内部に図示２個の空気室３２が形成されている。すなわち、シール体３０は変形しやすく、かつ弾力性の高い構造となっている。
【００２４】
そして、仕切体５の端面５ａ〜５ｃを断熱箱体１の内箱３に取り付ける際には、端面５ａ〜５ｃの段差部分にシール体３０を介装し、図６に示すように、そのシール体３０を挟みつつ取付座１４を内箱３にねじ１５で止めるのであり、シール体３０は上記のように変形しやすく弾力性に富んだ構造であることから、スムーズに潰れて挟み付けられ、仕切体５の取付作業を迅速に行うことができる。また、シール体３０は変形しやすいことから、全長にわたって内箱３に密着した状態で取り付けられ、空気洩れがより確実に防止される。
【００２５】
また、上記の第１実施形態に開示したモルトプレンあるいはスチロールからなるシール体１９では、長期間使用されると次第に水分を吸収するようになり、特に内箱３と接触する付近では、冷凍室６側の冷気により冷却されることで結露を生ずるおそれがある。その点、本実施形態のシール体３０は軟質のゴム製であるので、そのような水分の吸収がなく、したがって結露が生ずることが未然に防止される。
【００２６】
＜第３実施形態＞
次に、本発明の第３実施形態を図７および図８によって説明する。上記の実施形態で例示したように、断熱箱体１内に仕切体５を取り付けることで、庫内に冷凍室６と冷蔵室７とを区画形成した冷凍冷蔵庫では、特に冷蔵室７側の内箱３における仕切体５との境の部分（例えば図８の符号３５で示す部分）において、冷凍室６側の冷気がその内箱３を介して伝達されることで冷却され、そこに結露が生ずるおそれがある。本第３実施形態は、そのような結露を防止するための対策を講じたものである。
【００２７】
そのため、断熱箱体１の内箱３における仕切体５の取付部分には、図７に示すように、複数個の長孔３６が２列に並んで開口されている。これらの長孔３６は、冷蔵室７側の内箱３の仕切体５との境となる部分３５（結露しやすい部分）に対して、冷凍室６側の冷気が伝達されることを遮断するように機能し、すなわち断熱効果が得られて上記の結露しやすい部分３５が冷却されることが極力抑えられる。
【００２８】
上記のように長孔３６を設けることで結露発生の防止が図られているが、それでもなお結露の発生を十分に阻止し得ない場合がある。そのため、図８に示すように、内箱３における仕切体５の取付部分には、長孔３６の一方の列（冷蔵室７側の列）を設けた箇所から冷蔵室７側に一定寸法出っ張った部分（結露しやすい部分３５）にわたって、帯状の吸湿材３８が貼着されている。この吸湿材３８は、ポリウレタン系樹脂製の形状記憶ポリマを素材としており、周囲温度が同樹脂のガラス転移温度よりも高いときには吸湿度が高く、逆に低いときには吸湿度が低くなるように機能するものである。そして、上記の第２実施形態に例示したシール体３０が吸湿体３８の一部に押し付けられるようにして、仕切体５の端面が内箱３に取り付けられている。
【００２９】
例えば、冷蔵室７内に新たに被冷蔵物を入れた場合などには、冷蔵室７内が比較的高温多湿の状態となって、特に上記した内箱３における結露しやすい部分３５において、結露が生じるおそれがある。しかしながら本実施形態では、結露しやすい部分３５に吸湿材３８が設けられていて、その吸湿材３８は周囲温度が高いときには高い吸湿性を発揮するから、結露しようとしても水分が吸湿材３８により有効に吸収され、結露の発生が確実に防止される。
なお、吸湿材３８を貼着する場所は、図９に示すように、長孔３６から外れた位置から冷蔵室７側に出っ張るように設定してもよい。
【００３０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）第３実施形態では、吸湿材として、周囲温度の高低に応じて吸湿度を変化させるものを例示したが、周囲温度に拘らず吸水機能を発揮する通常の吸湿材を用いてもよい。
【図面の簡単な説明】
【図１】  本発明の第１実施形態に係る断熱箱体の外観斜視図である。
【図２】  仕切体の斜視図である。
【図３】  仕切体の上側の端面の取付構造を示す断面図である。
【図４】  仕切体の右側の端面の取付構造を示す断面図である。
【図５】  本発明の第２実施形態における仕切体の取り付け前の断面図である。
【図６】  その取り付け後の断面図である。
【図７】  本発明の第３実施形態に係る主に内箱の構造を示す斜視図である。
【図８】  仕切体を吸湿材を介して取り付けた状態を示す断面図である。
【図９】  吸湿材の貼着位置に変更を加えた変形例の断面図である。
【図１０】  従来例に係る断熱箱体の外観斜視図である。
【図１１】  その仕切体の取付構造を示す断面図である。
【符号の説明】
１…断熱箱体  ５…仕切体  ６…冷凍室  ７…冷蔵室  １０…内パネル  １１…外パネル  １２…断熱材  １４…取付座  １５…ねじ  １９…シール体  ３０…シール体  ３８…吸湿材
【図１】
0003677326.tif 000002
【図２】
0003677326.tif 000003
【図３】
0003677326.tif 000004
【図４】
0003677326.tif 000005
【図５】
0003677326.tif 000006
【図６】
0003677326.tif 000007
【図７】
0003677326.tif 000008
【図８】
0003677326.tif 000009
【図９】
0003677326.tif 000010
【図１０】
0003677326.tif 000011
【図１１】
0003677326.tif 000012